(57)【要約】      （修正有）【課題】型枠内への取付作業を簡単な構造で容易に行えるコンクリート構造体用スリーブ装置を提供する。【解決手段】軸方向に伸縮自在に構成され、任意の長さで伸縮を固定可能なスリーブ１２と、外周がスリーブの両端部の内周に嵌合可能であり、軸方向の一端側が型枠１０４、１０６の内面に釘５０により固定可能な一対の保持リング３２とを備えたスリーブ装置１０を型枠１０４、１０６間に設置する。スリーブ１２は、第１スリーブ１４と、第１スリーブ１４内に伸縮自在に嵌合された第２スリーブ１６と、締付手段２４により第１スリーブ１４及び第２スリーブ１６を任意の長さで固定可能な固定ベルト１８とで構成されている。【選択図】図１
0003204712.tif 000002
【実用新案登録請求の範囲】
【請求項１】
コンクリート構造体構築用の型枠間に設置され、当該コンクリート構造体に貫通孔を形成するスリーブ装置であって、
軸方向に伸縮自在に構成され、任意の長さで伸縮を固定可能なスリーブと、
外周が前記スリーブの両端部の内周に嵌合可能であり、軸方向の一端側が前記型枠の内面に保持可能な一対の保持リングと、
を備えたことを特徴とするコンクリート構造体用スリーブ装置。
【請求項２】
請求項１記載のコンクリート構造体用スリーブ装置に於いて、
前記保持リングは、前記一端側に、前記型枠の内面に固定する釘部材と係合する係合部を備え、
前記係合部は、前記スリーブの中心軸線と交差する位置に前記釘部材を挿通する釘穴を備えたことを特徴とするコンクリート構造体用スリーブ装置。
【請求項３】
請求項２記載のコンクリート構造体用スリーブ装置に於いて、
前記スリーブは、
両端を開口した第１スリーブと、
両端を開口し、前記第１スリーブ内に伸縮自在に挿入された第２スリーブと、
前記第１スリーブの、前記第２スリーブの挿入側端部に設置され、前記第１スリーブ及び第２スリーブを任意の長さで固定可能な固定ベルトと、
を備え、
前記保持リングは、
前記第１スリーブの内側に嵌合可能な第１保持リングと、
前記第２スリーブの内側に嵌合可能な第２保持リングと、
を備えたことを特徴とするコンクリート構造体用スリーブ装置。
【請求項４】
請求項３記載のコンクリート構造体用スリーブ装置に於いて、前記固定ベルトは、
長手方向の一端側が前記第１スリーブの挿入側端部に配置され、他端側が径方向に可動する第１固定部と、
前記第１固定部に対して円周方向に対称的に構成された第２固定部と、
前記第１固定部及び第２固定部の可動端側を締め付ける締付手段と、
を備え、
前記締付手段により前記第２スリーブを前記第１スリーブに締付固定することを特徴とするコンクリート構造体用スリーブ装置。
【請求項５】
請求項４記載のコンクリート構造体用スリーブ装置に於いて、前記締付手段は、
前記第１固定部の可動端に設けられたナット部と、
前記第２固定部の可動端に設けられ、前記ナット部に螺合するボルト部と、
を備えたことを特徴とするコンクリート構造体用スリーブ装置。
【請求項６】
請求項５記載のコンクリート構造体用スリーブ装置に於いて、前記固定ベルトは、長手方向の一端側に前記ナット部及び他端側にボルト部を有し、内径が前記第１スリーブの内径に略等しく形成され、長手方向中央の所定範囲が第１スリーブに固定されたことを特徴とするコンクリート構造体用スリーブ装置。
【考案の詳細な説明】
【技術分野】
【０００１】
本考案は、建築物の梁、柱、壁等のコンクリート構造体に横方方向の配管用貫通孔を形成するために使用されるスリーブ装置に関し、特に、コンクリート打設の際に、配管用貫通孔となる位置の両型枠間に取り付けるコンクリート構造体用スリーブ装置に関する。
【背景技術】
【０００２】
従来、コンクリート構造体に配管用貫通孔を形成するスリーブ装置としては、例えば図８に示すように、連結されて伸縮可能な一対のスリーブ８２、８４からなるスリーブ装置８０を、対向配置された一対の型枠１０４、１０６の間隔に一致するように長さを調節しながら、両端部に設けられた固定部８６、８８を釘９０により型枠１０４、１０６に打ち付け固定するものがある。
【先行技術文献】
【特許文献】
【０００３】
【特許文献１】特開平７−１４５８８２号公報
【考案の概要】
【考案が解決しようとする課題】
【０００４】
しかしながら、このような従来のスリーブ装置８０を型枠１０４、１０６内へ取り付ける際には、図８（Ａ）に示すように、先ず一対のスリーブ８２、８４を両型枠１０４、１０６の間隔以下の長さに縮めた状態で両型枠１０４、１０６内に挿入した後に、両スリーブ８２、８４を伸長する方向にスライドさせる。
【０００５】
次に、図７（Ｂ）に示すように、一方のスリーブ８２の固定部８６に釘９０を通して対面する型枠１０４の内側に打ち付けた後、他方のスリーブ８４を他方の型枠１０６の内側に突き当て、一対のスリーブ８２、８４を両型枠１０４、１０６間の長さに伸ばした状態で、他方のスリーブ８４の固定部８８に釘９０を通して対面する型枠１０６の内側に打ち付けるという手順となる。
【０００６】
このような作業を一人の作業者で行おうとすると、一方のスリーブ８２の固定部８６を所定の取付位置に合わせ、且つ一対のスリーブ８２、８４を片手で保持した状態で、一方のスリーブ８２の固定部８６に釘９０を通して打ち付けなければならないことから、その作業性は非常に悪く、スリーブ装置８０の型枠１０４、１０６への取り付けに手間が掛かり、作業効率が悪いという問題がある。
【０００７】
また、スリーブ装置８０の型枠１０４、１０６への位置決めは、配管用貫通孔の中心軸ＣＬが型枠１０４、１０６の内面に交差する点を基準にするが、このような従来のスリーブ装置８０においては、スリーブ８２の固定部８６を釘打ちする際に、金属製のスリーブ８２の内側を見ることができず、当該基準点が視認できないため、スリーブ８２の型枠１０４内面への位置合わせはスリーブ８２の外径や固定部８６に対して行わなければならず、その場合、型枠１０４内面への位置決め用のマーキング（ケガキ線）は、固定部８６の位置を配管用貫通孔の中心軸線ＣＬからの距離を考慮して決定しなければならず、この点でも作業効率が悪いという問題がある。
【０００８】
本考案は、このような課題を鑑みてなされたものであり、型枠内への取付作業を簡単な構造で容易に行えるコンクリート構造体用スリーブ装置を提供することを目的とする。
【課題を解決するための手段】
【０００９】
この目的を達成するため、本考案によるコンクリート構造体用スリーブ装置は次のように構成する。本考案は、コンクリート構造体構築用の型枠間に設置され、当該コンクリート構造体に貫通孔を形成するスリーブ装置であって、
軸方向に伸縮自在に構成され、任意の長さで伸縮を固定可能なスリーブと、
外周がスリーブの両端部の内周に嵌合可能であり、軸方向の一端側が型枠の内面に保持可能な一対の保持リングと、
を備えたことを特徴とする。
【００１０】
保持リング体は、軸方向の一端側に、型枠の内面に固定する釘部材と係合する係合部を備え、
係合部は、スリーブの中心軸線と交差する位置に釘部材を挿通する釘穴を備える。
【００１１】
スリーブは、
両端を開口した第１スリーブと、
両端を開口し、第１スリーブ内に伸縮自在に挿入された第２スリーブと、
第１スリーブの、第２スリーブの挿入側端部に設置され、第１スリーブ及び第２スリーブを任意の長さで固定可能な固定ベルトと、
を備え、
保持リングは、
第１スリーブの内側に嵌合可能な第１保持リングと、
第２スリーブの内側に嵌合可能な第２保持リングと、
を備える。
【００１２】
固定ベルトは
長手方向の一端側が第１スリーブの挿入側端部に配置され、他端側が径方向に可動する第１固定部と、
第１固定部に対して円周方向に対称的に構成された第２固定部と、
第１固定部及び第２固定部の可動端側を締め付ける締付手段と、
を備え、
締付手段により第２スリーブを第１スリーブに締付固定する。
【００１３】
締付手段は、
第１固定部の可動端に設けられたナット部と、
第２固定部の可動端に設けられ、ナット部に螺合するボルト部と、
を備える。
【００１４】
固定ベルトは、長手方向の一端側にナット部及び他端側にボルト部を有し、内径が第１スリーブの内径に略等しく形成され、長手方向中央の所定範囲が第１スリーブに固定される。
【考案の効果】
【００１５】
本考案によれば、コンクリートを打設する前に、配管用貫通孔を形成する位置の両型枠の内面に保持リングを固定し、スリーブの一端部を一方の保持リングの外周に嵌合させた後に、スリーブを軸方向に伸長させてスリーブの他端部を他方の保持リングの外周に嵌合させた状態で、スリーブの軸方向の伸縮を固定する、という簡単な構造と容易な作業により、コンクリート構造体の所定の位置配管用貫通孔を形成することができる。
【００１６】
また、コンクリート硬化後に外された型枠から保持リングを取り外して再利用できるという効果も得られる。
【図面の簡単な説明】
【００１７】
【図１】本考案によるコンクリート構造体用スリーブ装置の実施形態を示す斜視図
【図２】図１のスリーブ装置を分解した状態で示す斜視図
【図３】図２の固定ベルトの構成を示す斜視図
【図４】図２の保持リングの実施形態を示す斜視図
【図５】図１のスリーブ装置を型枠内に組み付ける手順を示す説明図
【図６】図５のスリーブ装置のコンクリート打設後の状態を示す断面図
【図７】本考案によるコンクリート構造体用スリーブ装置の他の実施形態を示す側面図
【図８】従来のコンクリート構造体用スリーブ装置の実施形態を示す説明図
【考案を実施するための形態】
【００１８】
図１は、本考案によるコンクリート構造体用スリーブ装置の実施形態を、型枠内に設置した状態で示した斜視図であり、図２は、図１のスリーブ装置を分解した状態で示す斜視図である。なお、図１には、コンクリート打設の際にスリーブ装置を取付ける一対の型枠を想像線で示している。
【００１９】
図１に示すように、本実施形態のスリーブ装置１０は、軸方向に伸縮自在な円筒状のスリーブ１２と、軸方向の一端側が釘５０により両型枠１０４、０６の内面に固定され、外周がスリーブ１２の両端部の内周に嵌合可能な一対の保持リング３２で構成されている。
【００２０】
スリーブ１２及び保持リング３２は、通常、亜鉛メッキされた鋼板により形成されるが、それ以外の材料、例えば塗装された鋼板やステンレス板、あるいは硬質塩化ビニル等のプラスチック素材でもよく、用途によって適宜選択される。また、スリーブ１２と保持リング３２とを、異なる材料で構成しても構わない。
【００２１】
スリーブ１２は、大径側の第１スリーブ１４の中に小径側の第２スリーブ１６を嵌め込んだ構造であり、第１スリーブ１４の第２スリーブ１６との嵌合側端部に設置されている固定ベルト１８を締付手段２４により締め付け、第２スリーブを第１スリーブに締付固定することで、第１スリーブ１４と第２スリーブ１６との軸方向の伸縮を任意の長さ、図１の場合は、両型枠１０４、１０６間の長さに設定することができる。
【００２２】
図２に示すように、第１スリーブ１４には、型枠１０４に突き当てられる突当側端部に、円筒形状の変形を防止するフランジ部１４ａが形成され、第１保持リング３４に嵌め込む際の作業性を確保している。同様に、第２スリーブ１６には、型枠１０６に突き当てられる突当側端部にフランジ部１６ａが形成されている。
【００２３】
また、第１スリーブ１４の、第２スリーブ１６の挿入側端部に設置された固定ベルト１８は、締付手段２４として、一端側の第１固定部２０と、他端側の第２固定部２２の先端部を蝶ネジ２８で締め付ける構造を備えている。
【００２４】
図３は、図２の固定ベルト１８と第１スリーブ１４との構成を示す斜視図であり、固定ベルト１８を第１スリーブ１４に接合する前の状態を、図２とは逆に、固定ベルト１８側からフランジ部１４ａの方向を見ている。
【００２５】
図３に示すように、固定ベルト１８は、帯状の金属板材を第１スリーブ１４と略同じ径に形成すると共に、両端側から概ね１／３の位置を固定片３０により第１スリーブ１４に、スポット溶接等で接合することで、一方を第１固定部２０、他方を第２固定部２２としている。
【００２６】
更に、第１固定部２０及び第２固定部２２の端部を外側に折り曲げ、第１固定部２０の折曲部にはネジ穴２６を、第２固定部２２の折曲部には蝶ネジ２８用の通し穴を形成し、通し穴を通した蝶ネジ２８とネジ穴２６とを螺合させて締付手段２４を構成している。
【００２７】
ネジ穴２６は、本実施形態では、バーリング加工により突き出した部位にネジを形成しているが、第１固定部２０の折曲部にナット部材を接合するようにしてもよく、また、作業性は若干損なわれるが、第１固定部２０及び第２固定部２２の両折曲部に通し穴を形成し、蝶ネジ２８を通してナットと螺合させるようにしても構わない。
【００２８】
再度、図２を参照し、第１スリーブ１４を嵌め込んで保持する第１保持リング３４は、帯状の金属板材が円形に形成された保持部３８と、保持部３８の軸方向の一端側に接合された帯状の係合部４２で構成され、係合部４２の中央の、第１スリーブ１４の中心軸線と交差する位置に、釘５０を通す釘穴４６を備えている。同様に、第２スリーブ１６を嵌め込んで保持する第２保持リング３６も保持部４０と係合部４４で構成され、係合部４４の中央には釘穴４８を備えている。
【００２９】
図２において、第１保持リング３４は係合部４２を水平方向に、第２保持リング３６は係合部４４を垂直方向に配置しているが、その配置方向は、配管用貫通孔の中心軸線に対応する位置決め用のマーキングと、釘穴４６、４８との位置関係が目視できれば、どのような向きでも構わない。
【００３０】
図４は、図１に示す保持リング３２、特に図２に示す第１保持リング３４を、図２とは逆に、第１スリーブ１４を嵌め込む方向から見た斜視図であり、図４（Ａ）は、図１、２に示す実施形態、図４（Ｂ）は、他の実施形態である。
【００３１】
図４（Ａ）に示す第１保持リング３４Ａは、帯状の係合部４２Ａの両端部が、保持部３８Ａの内周の曲率で曲面（円筒状）に形成して折り曲げられ、その折曲部４２ａが保持部３８Ａの内面に、スポット溶接等で接合されている。
【００３２】
それに対し、図４（Ｂ）では、保持部３８Ｂが円形状ではなく、対向する一部分を平面状にした形状（二方取り形状）に形成され、その平面部３８ｂに帯状の係合部４２Ｂの両端部が平面で折り曲げられた折曲部４２ｂが接合されている。
【００３３】
図４（Ａ）に示す第１保持リング３４Ａと図４（Ｂ）に示す第１保持リング３４Ｂとでは、第１スリーブ１４をはめ込む際の作業性に顕著な差がないため、生産設備や生産コストを考慮して何れかを選択すればよく、また、第１スリーブ１４をはめ込む形状と第１スリーブ１４の中心軸線に交差する位置に釘穴４６が存在すれば、他の形状でも構わない。
【００３４】
図５は、図１のスリーブ装置１０を型枠１０４、１０６内に組み付ける手順を示す説明図である。スリーブ装置１０を型枠１０４、１０６内に組み付けるには、先ず、図５（Ａ）に示すように、第１保持リング３４及び第２保持リング３６の各々の釘穴４６、４８を、形成する配管用貫通孔の中心軸線ＣＬに対応した型枠１０４、１０６内面の位置決め用のマーキングに合わせ、釘５０により第１保持リング３４と第２保持リング３６を型枠１０４、１０６の内面に打ち付ける。
【００３５】
次に、第１スリーブ１４内に第２スリーブ１６を挿入して縮めた状態のスリーブ１２を型枠１０４と型枠１０６の間に挿入し、図５（Ｂ）に示すように、第１スリーブ１４と第２スリーブ１６をスライドさせてスリーブ１２を伸長させ、スリーブ１２の両端の開口部を型枠１０４、１０６に打ち付けられた第１保持リング３４と第２保持リング３６の各々に嵌め込む。
【００３６】
その後、スリーブ１２を両型枠１０４、１０６間の長さに伸ばし、スリーブ１２の両端の開口部を型枠１０４、１０６の内面に押し当てた状態で蝶ネジ２８をねじ込み、第２スリーブ１６を締め付けてスリーブ１２の伸縮を固定することで、スリーブ装置１０の設置は終了する。
【００３７】
図６は、図５のスリーブ装置１０の、コンクリート打設後の状態を示す断面図である。図６（Ａ）は、コンクリート構造体１００を形成するための型枠１０４、１０６の間にコンクリートを打設した後に、コンクリートが硬化するまでの養生期間の状態であり、図６（Ｂ）は、コンクリートが硬化した後に、コンクリート構造体１００から型枠１０４、１０６を取り外し、配管用貫通孔１０２が形成された状態である。
【００３８】
図６（Ｂ）に示すように、コンクリート構造体１００の形成後に、第１スリーブ１４と第２スリーブ１６はコンクリート構造体１００内に残るが、第１保持リング３４と第２保持リング３６は、各々型枠１０４、１０６と共に取り外されるため、この第１保持リング３４と第２保持リング３６は、釘５０を抜いて型枠１０４、１０６から取り外すことで再利用することができる。
【００３９】
上記の実施形態において、保持リング３２は、図２に示すように、第１スリーブ１４の内径に適合する第１保持リング３４と、第２スリーブの内径に適合する第２保持リング３６とを区別しているが、大径側のスリーブ、本実施形態では、第１スリーブ１４との嵌め合い公差が許容できる場合には、大径側と小径側とで区別せずに同じ外径のものを使用することも可能である。
【００４０】
通常、建築物の梁、柱、壁等に設けられる配管用貫通孔の位置精度として数ミリ程度の誤差は許容されるため、作業性を考慮して大径側と小径側とで同じ保持リングを使用しても問題ないが、同じ保持リングを使用し且つ位置精度がある程度必要な場合は、大径側スリーブと小径側スリーブの保持リングとの嵌合側の内径を同じにすることも可能である。
【００４１】
図７は、本考案によるコンクリート構造体用スリーブ装置の他の実施形態として、大径側スリーブと小径側スリーブの保持リングとの嵌合側の内径を同じにした構成を示しており、図７（Ａ）は、大径側スリーブの保持リングとの嵌合側の内径を小径側スリーブに合わせた場合、図７（Ｂ）は、小径側スリーブの保持リングとの嵌合側の内径を大径側スリーブに合わせた場合である。
【００４２】
図７（Ａ）に示すスリーブ装置６０は、大径側の第１スリーブ６４の中に小径側の第２スリーブ６６を嵌め込んでいるが、第１スリーブ６４の保持リングとの嵌合部６４ａの内径を第２スリーブ６６と同径に絞り込んでいる。
【００４３】
なお、円筒形状の変形を防止するために、第２スリーブ６６の嵌合側端部には、フランジ部６６ａが設けられているが、嵌合部６４ａに至る段付き形状は、フランジ部６６ａと同様に円筒形状の変形を防止できるため、第１スリーブ６４には、フランジ部を設ける必要がない。
【００４４】
図７（Ｂ）に示すスリーブ装置７０は、大径側の第１スリーブ７４の中に小径側の第２スリーブ７６を嵌め込んでいるが、第２スリーブ７６の保持リングとの嵌合部７６ａの内径を第１スリーブ７４と同径に広げている。
【００４５】
また、円筒形状の変形を防止するために、第１スリーブ７４の嵌合側端部には、フランジ部７４ａが設けられているが、嵌合部７６ａに至る段付き形状は、フランジ部７４ａと同様に円筒形状の変形を防止できるため、第２スリーブ７６には、フランジ部を設ける必要がない。
【００４６】
以上で実施形態の説明を終えるが、本考案は上記の実施形態に限定されず、その目的と利点を損なうことのない適宜の変形を含み、更に上記の実施形態に示した数値等による限定は受けない。
【符号の説明】
【００４７】
１０、６０、７０、８０：スリーブ装置
１２、８２、８４：スリーブ
１４、６４、７４：第１スリーブ
１６、６６、７６：第２スリーブ
１８：固定ベルト
２０：第１固定部
２２：第２固定部
２４：締付手段
２６：ネジ穴（ナット部）
２８：蝶ネジ（ボルト部）
３０：固定片
３２：保持リング
３４：第１保持リング
３６：第２保持リング
３８、４０：保持部
４２、４４：係合部
４６、４８：釘穴
５０、９０：釘（釘部材）
８６、８８：固定部
１００：コンクリート構造体
１０２：配管用貫通孔
１０４、１０６：型枠
【図１】
0003204712.tif 000003
【図２】
0003204712.tif 000004
【図３】
0003204712.tif 000005
【図４】
0003204712.tif 000006
【図５】
0003204712.tif 000007
【図６】
0003204712.tif 000008
【図７】
0003204712.tif 000009
【図８】
0003204712.tif 000010